【事件の表示】
　特許第２８５８１８１号「エネルギー吸収構造体」の請求項１に係る特許に対する特許異議の申立てについて、次のとおり決定する。
【結　論】
  訂正を認める。
　特許第２８５８１８１号の請求項１に係る特許を維持する。
【理　由】
Ｉ．手続の経緯
　本件特許第2858181号の請求項1に係る発明は、平成3年12月20日に特許出願され、平成10年12月4日にその特許の設定登録がなされ、その後、特許異議申立人、角田篤美より特許異議の申立てがなされ、取消理由通知がなされ、その指定期間内である平成12年2月22　日に訂正請求がなされたものである。
　
II．訂正の適否についての判断
　
　1．訂正の内容 
（1）訂正事項ア
　請求項1中の「繊維補強熱可塑性樹脂筒状中空体」との記載を「炭素繊維とポリエーテルエーテルケトンからなる繊維補強熱可塑性樹脂筒状中空体」と訂正。
（2）訂正事項イ
　請求項1中の「0゜〜45゜」との記載を「5゜〜25゜」と訂正。
（3）訂正事項ウ
　請求項1中の「先端部」との記載を「外側先端部」と訂正。
（4）訂正事項エ
　請求項2の削除。
（5）訂正事項オ
　特許明細書の段落【0004】及び【0013】の「繊維補強熱可塑性樹脂筒状中空体」との記載を「炭素繊維とポリエーテルエーテルケトンからなる繊維補強熱可塑性樹脂筒状中空体」と訂正。
（6）訂正事項カ
　特許明細書の段落【0004】及び【0013】の「0°〜45°」との範囲を「5°〜25°」と訂正。
（7）訂正事項キ
　特許明細書の段落【0004】、【0005】及び【0013】の［先端部］との記載を［外側先端部］と訂正。
（8）訂正事項ク
　特許明細書の段落【0005】の「例えば、炭素繊維、ガラス繊維、芳香族ポリアミド繊維、炭化珪素繊維、ボロン繊維、アルミナ繊維などである。」との記載を「炭素繊維である。」と訂正。
（9）訂正事項ケ
　特許明細書の段落【0005】の「特に限定されるものではないが、例えば、ポリエーテルエーテルケトン（ＰＥＥＫ）、ポリフェニレンサルファイド（ＰＰＳ）、ポリエーテルイミド（ＰＥＩ）、ポリエーテルスルホン（ＰＥＳ）、ポリアリレンケトン、ポリアリレンサルファイド、ポリアリールイミド、ポリアリルイミド、ポリイミド、ポリイミドスルホン、ポリアリールスルホン、ポリエステル等の高融点又は高軟化点の熱可塑性樹脂である。特に、エンジニアリングプラスチック又はスーパーエンジニアリングプラスチックと称される融点２００℃以上の熱可塑性樹脂を用いることが好ましい。」との記載を「ポリエーテルエーテルケトン（ＰＥＥＫ）である。」と訂正。
（10）訂正事項コ
　特許明細書の段落【0011】の「素繊維/ポリアリールスルホンの場合には、肉厚を3．6ｍｍとした。」との記載並びに、段落【0012】中の、表1中の炭素繊維/ポリアリールスルホンに関する記載及び「および炭素繊維/ポリアリールスルホンのパイプの場合それぞれ」との記載を削除。　
　2．訂正の目的の適否・新規事項の有無及び拡張・変更の存否
　上記訂正事項ア、イ、ウは、発明を特定する事項をさらに限定したものといえるから、特許請求の範囲の減縮を目的とする訂正に該当するものであって、新規事項の追加に該当せず、また、実質上特許請求の範囲を拡張し、又は変更するものではない。
　訂正事項エは、特許請求の範囲の減縮に該当するものと認める。
　訂正事項オ〜コは、訂正事項ア〜エに整合を図るものであるから、明瞭でない記載の釈明に該当し、新規事項の追加に該当せず、また、実質特許請求の範囲を拡張し、又は変更するものでもない。
　3．独立特許要件の判断
（1）訂正明細書の請求項1に係る発明
　訂正明細書の請求項1に係る発明（以下、「訂正発明」という。）は、その特許請求の範囲の請求項1に記載された事項により特定される次のとおりのものである。
「移動体の外壁又は該移動体が接触する静止体の外壁に、一端から他端まで外径および内径が同一でかつ両端が開口した、炭素繊維とポリエーテルエーテルケトンからなる繊維補強熱可塑性樹脂筒状中空体を該中空体の開口部がこれらの外壁に対向するように取付けてなり、前記繊維補強熱可塑性樹脂筒状中空体は繊維が該中空体の軸方向に対して5゜〜25゜傾斜して一方向に配向していると共に、両方又は片方の外側先端部が該中空体の1周に亘り内側から外側に向って斜めに面取りされた先細り形状をしたエネルギー吸収構造体。」
（2）引用刊行物に記載された発明
　イ．ＪＯＵＲＮＡＬ　ＯＦ　ＣＯＭＰＯＳＩＴＥ　ＭＡＴＥＲＩＡＬＳ，ＶＯＬ．13，247〜262頁、ＪＣＯＭＢＩ，1979年7月発行（以下、「引用例1」という。）
　ロ．特開昭62-17438号公報（以下、「引用例2」という。）
　ａ．引用例1に記載された発明には、一端から他端まで外径および内径がが同一でかつ両端が開口した、ガラス繊維とポリエステルの複合材料からなる筒状中空体の繊維補強熱可塑性樹脂筒状中空体は、該繊維が中空体の軸方向に対して0゜で一方向に配向していると共に、片側の外側先端部が該中空体の1周に亘り内側から外側に向かって斜めに面取りされた先細り形状をしたエネルギー吸収構造体が開示されている。
　ｂ．引用例2には、樹脂と補強繊維からなる円筒状の筒体を有し、前記補強繊維は、本体の長手方向と円周方向に配列されたエネルギー吸収中空体が開示されている。
（3）訂正発明と各引用例に記載された発明の対比・判断　
　訂正発明と引用例1に記載された発明とを対比すると、両者は、一端から他端まで外径および内径が同一で両端が開口した繊維補強熱可塑性樹脂中空体で、片方の先端部が該中空体の1周に亘り内側から外側に向かって斜めに面取りされた先細り形状をしたエネルギー吸収構造体である点で一致し、以下の点で相違する。
＜相違点＞
　訂正発明では「炭素繊維とポリエーテルエーテルケトンからなる繊維補強熱可塑性樹脂筒状中空体。」であるのに対して、引用例1に記載された発明では「ガラス繊維とポリエステルの複合材料からなるチューブ」である点。及び、訂正発明では、「繊維が中空体の軸方向に対して5°〜25°傾斜して一方向に配向している。」のに対して、引用例1に記載された発明では、「繊維が中空体の軸方向に対して0°で一方向に配向している。」点。
　以下相違点について検討する。
　「炭素繊維とポリエーテルエーテルケトンからなる繊維補強熱可塑性樹脂筒状中空体であり、繊維が中空体の軸方向に対して5°〜25°傾斜して一方向に配向している。」構成（以下「構成Ａ」という）については、引用例2にも記載されてもいないし示唆もなされていない。そして、訂正発明は、上記構成Ａを具備するために、訂正明細書の段落【0012】及び表1に記載されるような、すなわち、エネルギー吸収量が大きく、上記構成Ａを備えたエネルギー吸収構造体は高いエネルギー吸収性を有するという格別の効果を奏するものである。
　してみると、上記相違点を格別のものでないとすることができない。
　したがつて、上記相違点が格別のものであり、訂正発明は引用例1に記載された発明と同一、または引用例1及び引用例2に記載された発明に基づいて当業者が容易に発明したものとすることができないので、特許出願の際独立して特許を受けることができない発明とすることができない。　　　　　4．むすび
　以上のとおりであるから、本件の訂正請求は、特許法第120条の4第2項及び第3項で準用する特許法第126条第2〜4項の規定に適合するので、当該訂正を認める。
　
III．異議申立てについての判断
  　1．異議申立理由の概要
　異議申立人　角田　篤美は、甲第1号証として、本件出願前に頒布されたＪＯＵＲＮＡＬ　ＯＦ　ＣＯＭＰＯＳＩＴＥ　ＭＡＴＥＲＩＡＬＳ，ＶＯＬ．13，247〜262頁、ＪＣＯＭＢＩ，1979年7月発行（上記引用例1）及び甲第2号証として特開昭62−17438号公報（上記引用例2）を提示し、本件特許第2858181号の請求項1に係る発明は、引用例1に記載された発明と同一であり、特許法第29条第1項第3号の規定により、また引用例1及び引用例2に記載された発明に基づいて、当業者が容易に発明したものであるから、特許法第29条第2項の規定により、さらに、本件請求項1に係る発明は0゜配向が含まれるので、傾斜して一方向に配向したものではないので、特許法36条第4項または第5項の規定により、取り消されるべきである旨主張している。
　2．本件特許発明
　平成12年2月22日付けの訂正請求による訂正が上記II（訂正の適否についての判断）で説示したように、認められるものであるから、本件特許第2858181号の請求項1に係る発明（以下、「本件特許発明」という。）は訂正された明細書の特許請求の範囲に記載された事項により特定されるもの、すなわち、訂正発明と同じである。
　3．検討・判断
　本件特許発明は、訂正発明と同じであるので、同II．3．（独立特許要件の判断）で説示したように、異議申立人が証拠として提示した引用例1に記載された発明との間に格別な相違点があることから、同引用例1に記載された発明と同一と認められないばかりか、同上記II．3．で説示したと同じ理由により、引用例1及び引用例2に記載された発明に基づいて当業者が容易に発明したものとすることができない。なお、異議申立人が指摘した、繊維の傾斜角度は、訂正により0°を含まないものとなつているので、明細書の記載の不備は解消されている。
　4．むすび
　以上のとおりであるから、
特許異議の申立ての理由及び証拠によつては、本件特許発明についての特許を取り消すことはできない。
　また、他に本件特許発明についての特許を取り消すべき理由を発見しない。
　よつて、結論のとおり決定する。　　　　　　　　　　　　　　　　　　
【異議決定日】
平成１２年７月１２日（２０００．７．１２）
【訂正の要旨】
１．訂正の内容
　特許第２８５８１８１号に係る出願の願書に添付した明細書又は図面（以下、「特許明細書」という。）における特許請求の範囲の請求項１を特許請求の範囲の減縮を目的として、下記の通りに訂正する。
（１）訂正事項ア
　請求項１中の「繊維補強熱可塑性樹脂筒状中空体」の記載を「炭素繊維とポリエーテルエーテルケトンからなる繊維補強熱可塑性樹脂筒状中空体」と訂正。
（２）訂正事項イ
　請求項１中の「０°〜４５°」の範囲を「５°〜２５°」の範囲と訂正。
（３）訂正事項ウ
　請求項１中の「先端部」の記載を「外側先端部」と訂正。
（４）訂正事項エ
　特許請求の範囲の減縮を目的として、下記のとおり訂正する。
請求項２の削除。
　詳細な説明または図面の明りょうでない記載の釈明を目的として下記の通りに訂正する。
（５）訂正事項オ
　【発明の詳細な説明】の「問題を解決する手段」の欄中の「繊維補強熱可塑性樹脂筒状中空体」の記載を「炭素繊維とポリエーテルエーテルケトンからなる繊維補強熱可塑性樹脂筒状中空体」と訂正し、「発明の効果」の欄中の「繊維補強熱可塑性樹脂筒状中空体」の記載を「炭素繊維とポリエーテルエーテルケトンからなる繊維補強熱可塑性樹脂筒状中空体」と訂正。
（６）訂正事項カ
　【発明の詳細な説明】の「問題を解決する手段」の欄中の「０°〜４５°」の範囲を「５°〜２５°」の範囲と訂正し、「発明の効果」の欄中の「０°〜４５°」の範囲を「５°〜２５°」の範囲と訂正。
（７）訂正事項キ
　【発明の詳細な説明】の［問題を解決する手段］の欄中の段落番号【０００４】中及び【０００５】中の［先端部］の記載を［外側先端部］と訂正し、「発明の効果」の欄中の「先端部」の記載を「外側先端部」と訂正。
（８）訂正事項ク
　【発明の詳細な説明】の段落番号【０００５】中の「例えば、炭素繊維、ガラス繊維、芳香族ポリアミド繊維、炭化珪素繊維、ボロン繊維、アルミナ繊維などである。」の記載を「炭素繊維である。」と訂正。
（９）訂正事項ケ
　【発明の詳細な説明】の段落番号【０００５】中の「特に限定されるものではないが、例えば、ポリエーテルエーテルケトン（ＰＥＥＫ）、ポリフェニレンサルファイド（ＰＰＳ）、ポリエーテルイミド（ＰＥＩ）、ポリエーテルスルホン（ＰＥＳ）、ポリアリレンケトン、ポリアリレンサルファイド、ポリアリールイミド、ポリアリルイミド、ポリイミド、ポリイミドスルホン、ポリアリールスルホン、ポリエステル等の高融点又は高軟化点の熱可塑性樹脂である。特に、エンジニアリングプラスチック又はスーパーエンジニアリングプラスチックと称される融点２００℃以上の熱可塑性樹脂を用いることが好ましい。」の記載を「ポリエーテルエーテルケトン（ＰＥＥＫ）である。」と訂正。
（１０）訂正事項コ
　【発明の詳細な説明】の［実施例］の欄中「炭素繊維／ポリアリールスルホンの場合には、肉厚を３．６ｍｍとした。」の記載を削除し、段落番号【００１２】中の表１中の炭素繊維／ポリアリールスルホンに関する事項を削除し、「及び炭素繊維／ポリアリールスルホンのパイプの場合それぞれ」の記載を削除する。
（５４）【発明の名称】
エネルギー吸収構造体
（５７）【特許請求の範囲】
　　【請求項１】　移動体の外壁又は該移動体が接触する静止体の外壁に、一端から他端まで外径および内径が同一でかつ両端が開口した
、炭素繊維とポリエーテルエーテルケトンからなる
５°〜２５°
外側
【発明の詳細な説明】
　【０００１】
　　【発明の属する技術分野】
　本発明は、衝突エネルギー又は圧縮エネルギーの吸収性に優れたエネルギー吸収構造体に関する。
　【０００２】
　　【従来の技術】
　従来、車両、船舶などの移動体が互いに或いは岸壁、橋脚などの静止体に衝突する場合に、できるかぎりその衝突エネルギー又は圧縮エネルギーを吸収させるために、複数のコアからなる蜂の巣状のアルミニウムハニカム構造体を緩衝材として移動体の外壁（又は外表面）に取付けることが行われていた。しかし、このアルミニウムハニカム構造体では、満足の行くほど十分にはエネルギーを吸収できなかった。
　【０００３】
　　【発明が解決しようとする課題】
　本発明は、このような事情にかんがみなされたものであって、衝突する場合におけるエネルギー吸収性に優れたエネルギー吸収構造体を提供することを目的とする。
　【０００４】
　　【課題を解決するための手段】
　このために本発明のエネルギー吸収構造体は、移動体の外壁又は該移動体が接触する静止体の外壁に、一端から他端まで外径および内径が同一でかつ両端が開口した
、炭素繊維とポリエーテルエーテルケトンからなる
５°〜２５°
外側
　【０００５】
　このように本発明では、
外側
　　【発明の実施の形態】
　以下、図を参照して本発明の構成につき詳しく説明する。
　図１は本発明で用いる繊維補強熱可塑性樹脂筒状中空体の一例の斜視説明図、図２はその断面図である。これらの図において、繊維補強熱可塑性樹脂筒状中空体１は、繊維と熱可塑性樹脂とからなる。この場合の繊維は
、炭
維で
、ポ
）で
　【０００６】
　この繊維補強熱可塑性樹脂筒状中空体１を製造するには、まず、上記熱可塑性樹脂をマトリックスとしかつ上記繊維を含有するプリプレグを、熱膨張性の中子と該中子の外側に配された外型との間に介在させ、ついで上記熱可塑性樹脂の可塑化温度以上の温度に該プリプレグおよび該中子を加熱して該中子を膨張させた後、該中子および該プリプレグを冷却することによればよい。この場合に用いる熱可塑性樹脂をマトリックスとするプリプレグは、具体的には、複数本の連続繊維を引き揃えて一方向に帯状に配列させた一般にトウと呼ばれる繊維束にマトリックスの熱可塑性樹脂を含浸させたもの（一方向引き揃えのプリプレグ（ＵＤプリプレグ））などである。このプリプレグは、室温においてタック性や可塑性がないばかりでなく、剛性が高い。このプリプレグは、シート状又は短冊状（スリットテープ状）をしている。また、この場合に用いる熱膨張性の中子は、熱可塑性樹脂よりも耐熱性を有する樹脂からなるもので、例えば、ポリテトラフルオロエチレン（ＰＴＦＥ、商品名テフロン）、ポリ弗化アルコキシエチレン（ＰＦＡ）、弗化エチレンプロピレンエーテル共重合体樹脂（ＦＥＰ）等のフッソ系樹脂からなる。外型は、例えば、銅パイプ等の金属パイプである。
　【０００７】
　繊維補強熱可塑性樹脂筒状中空体１は、図１および図２に示されるように、その一端から他端まで外径および内径が同一でかつ両端が開口したものである。この繊維補強熱可塑性樹脂筒状中空体１は、繊維が繊維補強熱可塑性樹脂筒状中空体１の軸Ｔの方向に対して０°〜４５°、好ましくは５°〜２５°傾斜して一方向に配向していなければならない（繊維角度）。４５°を超えて傾斜した場合には、移動体が衝突するに際してのエネルギー吸収性に劣ることになるからである。
　【０００８】
　また、繊維補強熱可塑性樹脂筒状中空体１の先端部２は、図１および図２に示されるように、斜めに面取りされた先細り形状、すなわち繊維補強熱可塑性樹脂筒状中空体１の１周に亘り内側から外側に向って斜めに切断された先細り形状、いわゆるトリガーとなっている。繊維補強熱可塑性樹脂筒状中空体１は、片方の先端部だけこのように面取りされていてもよく、両方の先端部が面取りされていてもよい。すなわち、先端部２又は先端部５のいずれか、或いは先端部２および先端部５の両方が面取りされていてもよい（トリガー部分（面取りされた部分）は繊維補強熱可塑性樹脂筒状中空体１のどちらか一方又は両方の端に設けられる）。その面取り部分の傾斜角度は、繊維補強熱可塑性樹脂筒状中空体１の軸Ｔの方向に対して２０°〜６０°程度であればよい。
　【０００９】
　本発明のエネルギー吸収構造体は、車両、船舶などの移動体の外壁又はこの移動体が接触する岸壁、橋脚などの静止体の外壁に、この繊維補強熱可塑性樹脂筒状中空体１をその開口部３がこれらの外壁に対向するように取付けてなる。この取付けは適当な手段によればよい。また、繊維補強熱可塑性樹脂筒状中空体１を外壁に取付けるに際しては、座屈を起こさない程度の長さに繊維補強熱可塑性樹脂筒状中空体１を切断し、１本でもよいが図３および図４に示すように複数本の束４にまとめて取付けるとよい。
　【００１０】
　このように繊維補強熱可塑性樹脂筒状中空体１が移動体又は静止体の外壁に取付けられると、衝突が生じた場合、トリガー部分で破壊が生じ、その破壊が繊維補強熱可塑性樹脂筒状中空体１の軸方向に一端から他端に徐々に最後まで進行する（いわゆるプログレッシブクラッシング）。これによって、衝突エネルギー又は圧縮エネルギーの有効な吸収が可能となる。
　【００１１】
　　【実施例】
　外径５５ｍｍおよび肉厚２．５ｍｍのパイプを表１に示す複合材料でそれぞれ作製した
。こ
　【００１２】
　表１から明らかなように、炭素繊維／ＰＥＥＫのパイプの場
合に
、
　【００１３】
　　【発明の効果】
　以上説明したように本発明のエネルギー吸収構造体は、移動体の外壁又は該移動体が接触する静止体の外壁に、一端から他端まで外径および内径が同一でかつ両端が開口した
、炭素繊維とポリエーテルエーテルケトンからなる
５°〜２５°
外側
【図面の簡単な説明】
　　【図１】
　本発明で用いる繊維補強熱可塑性樹脂筒状中空体の一例の斜視説明図である。
　　【図２】
　その断面図である。
　　【図３】
　繊維補強熱可塑性樹脂筒状中空体を複数個集めた束の一例の平面図である。
　　【図４】
　その束の側面図である。
　　【符号の説明】
　１　繊維補強熱可塑性樹脂筒状中空体、２　先端部、３　開口部、４　束。